(57)【要約】  本発明は、その内部を望ましい温度範囲で維持するための実験用流体容器冷却装置１０であって、ハウジング１６、前述のハウジング１６の開放上面を覆う蓋体３２、および開口部閉塞要素１１を備え、開口部閉塞要素１１は、前述の蓋体３２を少なくとも部分的に覆い、開口部閉塞要素１１は、いくつかの開口部１４を有する、実験用流体容器冷却装置１０に関する。蓋体３２は、いくつかの開口部４４も備える。開口部閉塞要素１１は、開口位置と閉塞位置との間で蓋体に対して移動可能であり、開口部閉塞要素および蓋体は、開口部一致構成を有することによって、開口部閉塞要素および蓋体が開口構成にあるとき、貫通孔を提供する。蓋体３２の上に開口部閉塞要素１１を有する冷却器閉塞装置３０も提示され、開口部閉塞要素１１および蓋体３２は、互いに摺動可能に係合するように、平行かつ略平坦な矩形である。
2021509462.tif 000002
【特許請求の範囲】
【請求項１】
改善された内部の微気候制御のための実験用流体容器冷却装置（１０）であって、ハウジング（１６）、前記ハウジング（１６）の開放上面を被覆する蓋体（３２）、および開口部閉塞要素（１１）を備え、
前記開口部閉塞要素（１１）は、前記蓋体（３２）を少なくとも部分的に覆い、
前記開口部閉塞要素（１１）は、いくつかの開口部（１４）を有し、
前記蓋体（３２）は、いくつかの開口部（４４）を有し、
前記開口部閉塞要素（１１）は、開口位置と閉塞位置との間で前記蓋体に対して移動可能であり、
前記開口部閉塞要素および前記蓋体は、開口部一致構成を有することによって、前記開口部閉塞要素および前記蓋体が開口構成にあるとき、貫通孔を提供し、それによって、前記開口部閉塞要素（１１）が、前記実験用流体容器冷却装置（１０）内の望ましい温度範囲を維持することを容易にする、
実験用流体容器冷却装置（１０）。
【請求項２】
前記開口部閉塞要素（１１）は、前記蓋体（３２）の前記開口部（４４）の数と同数の開口部（１４）を有する、請求項１記載の実験用流体容器冷却装置（１０）。
【請求項３】
前記ハウジング（１６）は、複数の実験用流体容器を格納するためのいくつかの空間（５１）を有する少なくとも１つの格納手段（２１、２２、２３、２４）を備え、
前記開口部閉塞要素（１１）が前記開口位置にあるとき、前記開口部閉塞要素（１１）の少なくとも１つの開口部（１４）は、少なくとも１つの格納手段空間（５１）と垂直方向に整列され、
前記開口部閉塞要素（１１）の前記開口部（１４）の数は、前記少なくとも１つの格納手段（２１、２２、２３、２４）内の、前記実験用流体容器を格納するための空間（５１）の数以上の数であり、
それによって、前記格納手段空間（５１）は、前記開口部閉塞要素（１１）が前記開口位置にあるときに、前記開口部（１４、４４）を通してアクセス可能になり、前記開口部閉塞要素（１１）が前記閉塞位置にあるときに、アクセス不能になる、
請求項１記載の実験用流体容器冷却装置（１０）。
【請求項４】
前記開口部閉塞要素（１１）は、前記開口部閉塞要素（１１）を移動させるための少なくとも１つの係合要素（１２）を備える、請求項１記載の実験用流体容器冷却装置（１０）。
【請求項５】
前記開口部閉塞要素（１１）および前記蓋体（３２）は、少なくとも１つの、好ましくは２つのガイドスリット（４５Ａ、４５Ｂ）、および少なくとも１つの、好ましくは２つのボルト（４６Ａ、４６Ｂ）によって接続され、各ボルト（４６Ａ、４６Ｂ）は、異なるガイドスリット（４５Ａ、４５Ｂ）に挿入される、請求項１記載の実験用流体容器冷却装置（１０）。
【請求項６】
前記ガイドスリット（４５Ａ、４５Ｂ）は、長さｘを有する、請求項４記載の実験用流体容器冷却装置（１０）。
【請求項７】
前記開口部閉塞要素（１１）および前記蓋体（３２）は平坦である、請求項１記載の実験用流体容器冷却装置（１０）。
【請求項８】
前記蓋体（３２）は、少なくとも１つの雄型ガイド取付要素（１３Ａ、１３Ｂ、１３Ｃ）を有する、請求項１記載の実験用流体容器冷却装置（１０）。
【請求項９】
前記ハウジング（１６）は、前記ハウジング（１６）の少なくとも１つの面の上に、少なくとも１つの雌型ガイド凹部（１５Ａ、１５Ｂ、１５Ｃ）を有する、請求項７記載の実験用流体容器冷却装置（１０）。
【請求項１０】
前記蓋体（３２）が前記ハウジング（１６）の前記開放上面を覆うときに、各雄型ガイド取付要素（１３Ａ、１３Ｂ、１３Ｃ）は、異なる雌型ガイド凹部（１５Ａ、１５Ｂ、１５Ｃ）に挿入され、それによって、前記蓋体（３２）は、前記開口部閉塞要素（１１）が移動するときに、その位置を維持される、請求項７または８記載の実験用流体容器冷却装置（１０）。
【請求項１１】
前記開口部閉塞要素（１１）および前記蓋体（３２）は、前記ハウジング（１６）から、別個に、または共に取り外し可能である、請求項９記載の実験用流体容器冷却装置（１０）。
【請求項１２】
前記開口部（１４、４４）は、ニードルがそこを通るように構成される、請求項１記載の実験用流体容器冷却装置（１０）。
【請求項１３】
蓋体（３２）の上に開口部閉塞要素（１１）を有する冷却器閉塞装置（３０）であって、前記開口部閉塞要素（１１）および前記蓋体（３２）は、互いに摺動可能に係合するように、平行かつ略平坦な矩形であり、
前記開口部閉塞要素（１１）は、いくつかの開口部（１４）を有し、
前記蓋体（３２）は、いくつかの開口部（４４）を有し、
前記開口部閉塞要素（１１）は、開口位置と閉塞位置との間で前記蓋体に対して移動可能であり、
前記開口部閉塞要素および前記蓋体は、開口部一致構成を有することによって、前記開口部閉塞要素および前記蓋体が開口構成にあるとき、貫通孔を提供する、
冷却器閉塞装置（３０）。
【請求項１４】
前記開口部閉塞要素（１１）は、前記開口部閉塞要素（１１）を移動させるための少なくとも１つの係合要素（１２）を備える、請求項１３記載の冷却器閉塞装置（３０）。
【請求項１５】
前記開口部閉塞要素（１１）および前記蓋体（３２）は、少なくとも１つの、好ましくは２つのガイドスリット（４５Ａ、４５Ｂ）、および少なくとも１つの、好ましくは２つのボルト（４６Ａ、４６Ｂ）によって接続され、各ボルト（４６Ａ、４６Ｂ）は、異なるガイドスリット（４５Ａ、４５Ｂ）に挿入される、請求項１３または１４記載の冷却器閉塞装置（３０）。
【発明の詳細な説明】
【技術分野】
【０００１】
本発明は、実験研究の分野に属し、実験用流体の冷却、および実験用流体の冷却温度の維持に関し、特に、実験用流体の冷却のための開口部閉塞要素１１を備える実験用流体容器冷却装置１０を開示する。
【背景技術】
【０００２】
病院および実験室において、実験用流体を、保管および利用中に安定した状況下で維持する必要がある。複数の環境要因を制御することによって、これは達成され得る。しかし、その複数の環境要因の制御を維持することは困難であり得る。制御の欠如は、実験用流体の劣化および貯蔵寿命の減少に寄与することがあり、それにより、誤った試験結果という結果になることがある。
【０００３】
本発明の目的の１つは、実験用流体の劣化に関する課題を克服することである。
【発明の概要】
【０００４】
一態様では、本発明は、ハウジング、前述のハウジングの開放上面を覆う蓋体、および開口部閉塞要素を備える、内部で望ましい温度範囲を維持するための実験用流体容器冷却装置を含む。前述の開口部閉塞要素は、前述の蓋体を少なくとも部分的に覆う。前述の開口部閉塞要素は、いくつかの開口部を有する。前述の蓋体は、いくつかの開口部を有する。前述の開口部閉塞要素は、開口位置と閉塞位置との間で蓋体に対して移動可能である。開口部閉塞要素および蓋体は、開口部一致構成を有することによって、開口部閉塞要素および蓋体が開口構成にあるとき、貫通孔を提供する。開口部閉塞要素は、前述の実験用流体容器冷却装置内で望ましい温度範囲を維持することを容易にし、また、容器冷却装置内部の、より制御され安定した微気候を保証する。
【０００５】
前述の開口部閉塞要素（１１）は、前述の蓋体（３２）の開口部（４４）の数と同数の開口部（１４）を有する。前述のハウジングは、複数の実験用流体容器を格納するためのいくつかの空間を有する少なくとも１つの格納手段を備える。前述の開口部閉塞要素が開口位置にあるとき、前述の開口部閉塞要素の少なくとも１つの開口部は、少なくとも１つの格納手段空間と垂直方向に整列される。開口部閉塞要素の開口部の数は、少なくとも１つの格納手段内の、実験用流体容器を格納するためのいくつかの空間の数以上の数である。格納手段空間は、開口部閉塞要素が開口位置にあるとき、開口部を通してアクセス可能になる。格納手段空間は、開口部閉塞要素が閉塞位置にあるとき、アクセス不能になる。前述の開口部閉塞要素は、開口部閉塞要素を移動させるための少なくとも１つの係合要素を備える。前述の開口部閉塞要素および前述の蓋体は、少なくとも１つの、好ましくは２つのガイドスリット、および少なくとも１つの、好ましくは２つのボルトによって接続され、各ボルトは、異なるガイドスリットに挿入される。前述のガイドスリットは、長さｘを有する。前述の開口部閉塞要素および前述の蓋体は平坦である。前述の蓋体は、少なくとも１つの雄型ガイド取付要素を有する。前述のハウジングは、ハウジングの少なくとも１つの面の上に、少なくとも１つの雌型ガイド凹部を有する。前述の蓋体が前述のハウジングの開放上面を覆うときに、各雄型ガイド取付要素は、異なる雌型ガイド凹部に挿入され、それによって、前述の蓋体は、前述の開口部閉塞要素が移動するときに、その位置を維持される。前述の開口部閉塞要素および前述の蓋体は、前述のハウジングから、別個に、または共に取り外し可能である。前述の開口部は、ニードルがそこを通るように構成される。
【０００６】
別の態様では、本発明は、蓋体の上に開口部閉塞要素を有する冷却器閉塞装置を備える。開口部閉塞要素および蓋体は、互いに摺動可能に係合するように、平行かつ略平坦な矩形である。開口部閉塞要素は、いくつかの開口部を有する。前述の蓋体は、いくつかの開口部を有する。前述の開口部閉塞要素は、開口位置と閉塞位置との間で蓋体に対して移動可能である。開口部閉塞要素および蓋体は、開口部一致構成を有することによって、開口部閉塞要素および蓋体が開口構成にあるとき、貫通孔を提供する。
【０００７】
前述の開口部閉塞要素は、開口部閉塞要素を移動させるための少なくとも１つの係合要素を備える。前述の開口部閉塞要素および前述の蓋体は、少なくとも１つの、好ましくは２つのガイドスリット、および少なくとも１つの、好ましくは２つのボルトによって接続される。各ボルトは、異なるガイドスリットに挿入される。
【０００８】
添付の請求項により、本発明の他の有利な実施形態、態様および詳細が明白となる。
【０００９】
本発明をより容易に理解できるものとするために、以下に続く説明は、添付の図面を参照する。
【図面の簡単な説明】
【００１０】
【図１】組み立てられた実験用流体容器冷却装置を示す。
【図２】ハウジング１６内で実験用流体容器を保管するための様々な格納手段２１、２２、２３、２４を示す。
【図３Ａ】蓋体３２の上の開口部閉塞要素１１を示し、開口部閉塞要素１１は、開放位置に対して右に、距離Ｘ１で摺動させた後の、閉塞位置にある。
【図３Ｂ】蓋体３２の上の開口部閉塞要素１１を示し、開口部閉塞要素１１は、閉塞位置に対して左に、距離Ｘ１で摺動させた後の、開放位置にある。
【図４Ａ】閉塞位置で組み立てられた開口部閉塞要素１１および蓋体３２を、上方からの斜視図で示す。
【図４Ｂ】閉塞位置で組み立てられた開口部閉塞要素１１および蓋体３２を、下方からの斜視図で示す。
【図５】格納手段空間５１を有し、間隔スリーブ５２および締結手段５３により接続される２つの板体５４、５５と、ハンドル要素２５Ａとを備える格納手段２１の構成を示す。
【発明を実施するための形態】
【００１１】
以下において、好ましい実施形態を記載することによって、および添付の図面を参照することによって、本発明を説明する。しかし、当業者は、添付の従属請求項に定義される発明の範囲内である他の適用例および修正例を実現するであろう。
【００１２】
病院および実験室において、実験用流体を、保管および利用中に安定した状況下で維持する必要がある。複数の環境要因を制御することによって、これは達成され得る。しかし、当該複数の環境要因の制御を維持することは困難であり得る。制御の欠如は、実験用流体の劣化および貯蔵寿命の減少に寄与することがあり、それにより、誤った試験結果という結果になることがある。
【００１３】
本発明の目的の１つは、実験用流体の温度制御のための装置を提供することであり、より一般的には、実験用流体の微気候の制御を改善することである。
【００１４】
本発明の背後にある基本思想は、容器冷却装置に実験用流体容器へのアクセスを提供することであり、それによって冷却器容器内部と環境との間の熱伝達が大きく減少する。
【００１５】
一般的な実施形態においては、冷却器閉塞装置に、互いに重なり合い、互いに対し移動可能な２つの板状蓋体であって、上の蓋体および下の蓋体が、開口部一致構成を有することによって、当該蓋体が開口構成にあるとき、貫通孔を提供する２つの板状蓋体を設けることによって、これは達成される。容器冷却器の内部の実験用流体容器へのアクセスを与えるために、蓋体が容器冷却装置から取り外されるため、容器冷却器の内部全体を曝露する従来の「１つの蓋体」閉塞装置と比較すると、それらの貫通孔は、環境への曝露領域が著しく減少される。
【００１６】
冷却器閉塞装置の使用は、冷却器の内部と環境との間の熱伝達の減少を保証するだけでなく、概して、冷却装置の内部のより安定した微気候を保証する。冷却器閉塞装置を使用することにより、微小環境中の雰囲気が改善され、空気供給および水滴が減少するため、抗体管内の酸化が低減する。さらなる利点は、管内の下方に位置する抗体の希釈が低減されることである。これにより、高感度抗体および抗体カクテルに対する寿命がより長くなる。
【００１７】
一態様では、本発明は、ハウジング１６と、当該ハウジング１６の開放上面を覆う蓋体３２と、開口部閉塞要素１１とを備える、内部で望ましい温度範囲を維持するための実験用流体容器冷却装置１０を含む。
【００１８】
ハウジング１６は、４つの壁部と、４つの壁部の底部に接続される底板部を有し、対向する壁部は平行である。
【００１９】
前述の開口部閉塞要素１１は、前述の蓋体３２を少なくとも部分的に覆う。前述の開口部閉塞要素１１は、いくつかの開口部１４を有する。前述の蓋体３２は、いくつかの開口部４４を有する。前述の開口部閉塞要素１１は、開放位置と閉塞位置との間で蓋体に対して移動可能である。開口部閉塞要素および蓋体は、開口部一致構成を有することによって、開口部閉塞要素および蓋体が開口構成にあるとき、貫通孔を提供する。前述の開口部閉塞要素１１が開放位置にあるとき、前述の開口部閉塞要素１１の開口部１４は、蓋体３２の開口部４４と一致し得る。前述の開口部閉塞要素１１が閉塞位置にあるとき、蓋体３２の開口部４４は、前述の開口部閉塞要素１１によって覆われ得る。
【００２０】
前述の開口部閉塞要素１１は、前述の蓋体３２のいくつかの開口部４４と同数の開口部１４を有し得る。これにより、一致構成となり得る。前述の開口部閉塞要素１１は、前述の蓋体３２の開口部４４のパターンと同じパターンの開口部１４を有し得る。
【００２１】
開口部閉塞要素１１は、前述の実験用流体容器冷却装置１０内で望ましい温度範囲を維持することを容易にし、概して、これは、実験用流体容器冷却装置内に、より安定した微気候を提供する。実験用流体容器冷却装置１０内の望ましい温度範囲は、０．１°Ｃ〜１５°Ｃ、１°Ｃ〜１２°Ｃ、または２°Ｃ〜８°Ｃであり得る。実験用流体容器冷却装置１０は、少なくとも１つの入口循環ファン、および少なくとも１つの出口循環ファンを備える冷却手段を含んでもよい。冷却手段は、１つまたは複数のペルチェ素子またはヒートシンク素子を有するヒートシンクをさらに備え得る。
【００２２】
前述のハウジング１６は、複数の実験用流体容器を格納するためのいくつかの空間５１を有する、少なくとも１つの格納手段２１、２２、２３、２４を含む。さらに、前述の格納手段２１、２２、２３、２４のうちの少なくとも１つは、異なる装置および配置の、実験用流体容器のための空間５１を有する、別の格納手段２１、２２、２３、２４と交換されるために、取り外し可能であってもよい。格納手段２１、２２、２３、２４は、前述の格納手段２１、２２、２３、２４を移動させるときに、格納手段２１、２２、２３、２４の取り扱いを容易にするために、ハンドル要素２５Ａ、２５Ｂ、２６を有してもよい。格納手段は、少なくとも１つの間隔スリーブ（Distance sleeve）５２および少なくとも１つの締結手段５３により接続される複数の板体５４、５５で構成されてもよい。締結手段５３は、ねじ、ボルトなどであり得る。格納手段２１、２２、２３、２４は、複数の実験用流体容器を格納するように設計され、各格納手段２１、２２、２３、２４は、異なる数の実験用流体容器を格納するように設計されてもよい。実験用流体容器は、格納手段２１、２２、２３、２４の格納手段空間５１内に嵌合するか、または、格納手段２１、２２、２３、２４に嵌合しない場合、前述の実験用流体容器冷却装置１０の内部に嵌合する任意のサイズであってもよい。実験用流体容器は、様々な形状およびサイズであってもよく、実験用流体容器が保管する流体の種類および容量に応じて調整される。実験用流体容器は、実験用流体を保管するための、バイアル、管、容器、またはそれらに類似のものであってもよい。実験用流体は、限定されないが、試薬、希釈液、抗体懸濁液、混合済みカクテル、またはそれらの変形など、実験使用に適した任意の流体であってもよい。
【００２３】
前述の開口部閉塞要素１１が開放位置にあるとき、前述の開口部閉塞要素１１の少なくとも１つの開口部１４は、少なくとも１つの格納手段空間５１に垂直方向に整列する。開口部閉塞要素１１の開口部１４の数は、少なくとも１つの格納手段２１、２２、２３、２４中に実験用流体容器を格納するための空間５１の数以上である。これにより、格納手段空間５１に挿入されると、実験用流体容器の内容物にアクセス可能であるように、すべての格納手段空間５１へのアクセスが可能になる。開口部閉塞要素１１が開放位置にあるとき、格納手段空間５１は、開口部１４、４４を通してアクセス可能である。これにより、実験用流体容器から流体を抜き取ることが可能である。開口部閉塞要素１１が閉塞位置にあるとき、格納手段空間５１は、アクセス不能である。
【００２４】
前述の開口部閉塞要素１１は、開口部閉塞要素１１を移動させるための少なくとも１つの係合要素（engagement element）１２を備える。当該係合要素１２は、前述の開口部閉塞要素１１を移動させるために、押され、引かれ、引っ掛けられ、または把持されてもよい。開口部閉塞要素１１の移動は、手動または自動であり得る。自動の場合、少なくとも１つのアーム装置を備えるロボット装置が、開口部閉塞要素１１をいずれかの方向に移動させるために、突出部に力を加えてもよい。少なくとも１つの中央処理装置（ＣＰＵ）を備える操作コンピュータが、開口部閉塞要素１１の開放および閉塞処理の自動化を達成するために、ロボット装置を制御するように構成されてもよい。
【００２５】
前述の開口部閉塞要素１１および前述の蓋体３２は、少なくとも１つの、好ましくは２つのガイドスリット４５Ａ、４５Ｂ、および少なくとも１つの、好ましくは２つのボルト４６Ａ、４６Ｂにより接続され、各ボルト４６Ａ、４６Ｂは、異なるガイドスリットに挿入される。
【００２６】
開口部閉塞要素１１に、ガイドスリット４５Ａ、４５Ｂが設けられてもよく、蓋体３２に、ボルト４６Ａ、４６Ｂが設けられてもよい。
【００２７】
図４Ａおよび４ｂは、ガイドスリット４５Ａ、４５Ｂを有する蓋体３２、およびボルト４６Ａ、４６Ｂを有する開口部閉塞要素１１を示す。
【００２８】
異なる構成では、蓋体３２に、ガイドスリット４５Ａ、４５Ｂおよびボルト４６Ａ、４６Ｂが設けられてもよく、開口部閉塞要素１１に、ガイドスリット４５Ａ、４５Ｂおよびボルト４６Ａ、４６Ｂが設けられてもよい。
【００２９】
特定の構成では、ボルト４６Ａ、４６Ｂがガイドスリット４５Ａ、４５Ｂに挿入されると、ガイドスリット４５Ａ、４５Ｂおよびボルト４６Ａ、４６Ｂにより、開口部閉塞要素１１および蓋体３２が嵌合し合うことが可能になる。好ましくは、開口部閉塞要素１１および蓋体３２は、互いに重なり合って整列される。それによって、開口部閉塞要素１１の開口部１４、および蓋体３２の開口部４４は、開口部閉塞要素１１が開放位置にあるとき、軸方向に整列され、それらを通過する通路を許容する。
【００３０】
前述のガイドスリット４５Ａ、４５Ｂは、長さｘを有し得る。好ましくは、ガイドスリット４５Ａ、４５Ｂは、長さｘで伸長している。長さｘは、開口部閉塞要素１１が、図３Ａおよび図３Ｂにおいて距離Ｘ１として表される、蓋体３２に沿って移動し得る進行距離を決定する。好ましくは、その距離は、その距離の一端で、開口部閉塞要素１１が開放位置にあり、その距離の他端で、開口部閉塞要素１１が閉塞位置にあるようなっている。長さｘは、最大で１５ｍｍ、１０ｍｍ、７ｍｍ、または５ｍｍの長さであってもよい。
【００３１】
ガイドスリット４５Ａ、４５Ｂの方向は、開口部閉塞要素１１が蓋体３２に対して移動し得る方向を決定する。開口部閉塞要素１１は、ガイドスリット４５Ａ、４５Ｂの方向および長さによって案内されて、蓋体３２に沿って移動してもよい。開口部閉塞要素１１は、ガイドスリット４５Ａ、４５Ｂの方向および長さによってガイドされて、蓋体３２に横切るように移動してもよい。
【００３２】
前述の開口部閉塞要素１１および前述の蓋体３２は、平坦である。前述の蓋体３２は、少なくとも１つの雄型ガイド取付要素（male guide fitment element）１３Ａ、１３Ｂ、１３Ｃを含み、前述のハウジング１６には、ハウジング１６の少なくとも１つの壁部の上に、対応する数の雌型ガイド凹部１５Ａ、１５Ｂ、１５Ｃが設けられ得る。雌型ガイド凹部１５Ａ、１５Ｂ、１５Ｃは、雄型ガイド取付要素１３Ａ、１３Ｂ、１３Ｃを受容するように設計され、それによって蓋体３２とハウジング１６との固定がもたらされ、その固定は、開口部閉塞要素１１が蓋体３２に対して移動するときでも維持される。ハウジング１６の２つ以上の壁部が、その上部に、少なくとも１つの雌型ガイド凹部１５Ａ、１５Ｂ、１５Ｃを有し得る。ハウジング１６の壁部には、異なる数の雌型ガイド凹部１５Ａ、１５Ｂ、１５Ｃが設けられ得る。たとえば、ある壁部は、１つの雌型ガイド凹部１５Ａ、１５Ｂ、１５Ｃを有してもよく、別の壁部は、図３Ａ〜４Ｂに示されるように、２つの雌型ガイド凹部１５Ａ、１５Ｂ、１５Ｃを有してもよい。雌型ガイド凹部１５Ａ、１５Ｂ、１５Ｃは、同じ深さｄを有し得る。雌型ガイド凹部１５Ａ、１５Ｂ、１５Ｃは、異なる幅ｗを有してもよく、または、同じ幅ｗを有してもよい。雄型ガイド取付要素１３Ａ、１３Ｂ、１３Ｃは、蓋体３２の側縁部に配置される。雄型ガイド取付要素１３Ａ、１３Ｂ、１３Ｃは、平坦である。蓋体３２の２つ以上の側縁部は、少なくとも１つの雄型ガイド取付要素１３Ａ、１３Ｂ、１３Ｃを有し得る。雄型ガイド取付要素１３Ａ、１３Ｂ、１３Ｃの数は、設計事項である。図４Ａおよび図４Ｂでは、一方の長辺に２つの雄型ガイド取付要素が設けられ、一方の短辺に１つの雄型ガイド取付要素が設けられ、他の２辺は雄型ガイド取付要素を含まない。雄型ガイド取付要素１３Ａ、１３Ｂ、１３Ｃの幅は、設計事項である。各雌型ガイド凹部１５Ａ、１５Ｂ、１５Ｃは、好ましくは、蓋体３２が前述のハウジング１６の開口上壁部を覆うためにいかに配置されるかについて、１つの選択肢のみを有する構成において、対応する雄型ガイド取付要素１３Ａ、１３Ｂ、１３Ｃを有する。蓋体３２が前述のハウジング１６の開放上面を覆うときに、蓋体３２の開口部は、アクセスを可能にするために、格納手段空間５１に整列される。１つの開口部４４は、最大で１つの格納手段空間５１へアクセスを提供する。
【００３３】
前述の開口部閉塞要素１１および前述の蓋体３２は、前述のハウジング１６から、別個に、または共に取り外し可能である。
【００３４】
前述の開口部１４、４４は、それを通してニードルを受容するように構成され得るか、またはピペットを受容するように構成され得る。開口部のサイズおよび形状は、設計事項であり、意図される用途、すなわち、容器冷却装置１０の内部から何がアクセスされるべきかによって規定される。
【００３５】
単に、蓋体（３２）の上に開口部閉塞要素（１１）を備える冷却器閉塞装置（３０）を有することも可能であり、開口部閉塞要素（１１）および蓋体（３２）は、互いに摺動可能に係合するように、平行かつ略平坦な矩形である。開口部閉塞要素（１１）は、いくつかの開口部（１４）を有する。前述の蓋体（３２）は、いくつかの開口部（４４）を有する。前述の開口部閉塞要素（１１）は、開放位置と閉塞位置との間で蓋体に対して移動可能である。開口部閉塞要素および蓋体は、開口部一致構成を有することによって、開口部閉塞要素および蓋体が開口構成にあるとき、貫通孔を提供する。
【００３６】
前述の開口部閉塞要素（１１）は、開口部閉塞要素（１１）を移動させるための少なくとも１つの係合要素（１２）を備える。前述の開口部閉塞要素（１１）および前述の蓋体（３２）は、少なくとも１つの、好ましくは２つのガイドスリット（４５Ａ、４５Ｂ）、および少なくとも１つの、好ましくは２つのボルト（４６Ａ、４６Ｂ）によって接続される。各ボルト（４６Ａ、４６Ｂ）は、異なるガイドスリット（４５Ａ、４５Ｂ）に挿入される。
【００３７】
開口部閉塞要素１１が閉塞位置にあるとき、実験用流体容器冷却装置１０の内部の、湿気およびその後の水滴の形成に曝されることは少なくなる。実験用流体容器内に保管される実験用流体が水滴に曝されると、非濃縮の実験用流体の濃度が変化することがあり、それによって、実験室または臨床実験、試験および／またはプロトコルに誤りがもたらされる。さらに、温度変動が少なく、小さくなり、実験用流体容器冷却装置１０内の温度分布がより均一となり得る。したがって、実験用流体を保管するために、望ましい温度範囲を達成および維持することはより都合がよい。望ましい温度範囲を越えるような保管は、たんぱく質分解、酸化および望まれない微生物増殖などにより、実験用流体の劣化を引き起こすことがある。そのような保管は、実験用流体の貯蔵寿命を短くする。実験用流体が正しく保管されないと、それらは、実験室または臨床実験、試験および／またはプロトコルの結果に影響を及ぼすことがあり、誤った結果を生じさせる可能性がある。その結果として、間違った結論、および／または前述の実験室または臨床実験、試験および／またはプロトコルのやり直しとなることがあり、やり直しは、都度、余分な時間、さらなるコストがかかり、そして遅延を生じさせることがある。
【００３８】
開口部閉塞要素１１が閉塞位置にあるとき、光が実験用流体容器冷却装置１０に進入することが防止される。実験用流体は、洗剤など、前述の実験用流体の感光性を上昇させる成分を含むことがあるため、避けるべき前述の実験用流体の光曝露を低減させる必要がある。いくつかの実験用流体は、蛍光標識抗体などの蛍光標識体を含む。光曝露は、前述の蛍光標識体の光脱色を引き起こすため、そのような結合体は、光から遠ざけられる。そのような実験用流体が正しく保管されず、その結果、不要な光曝露の影響を受けると、前述の実験用流体は、実験室または臨床実験、試験および／またはプロトコルの結果に影響を及ぼすことがあり、誤った結果を生じさせる可能性がある。その結果として、間違った結論、および／または前述の実験室または臨床実験、試験および／またはプロトコルのやり直しとなることがあり、やり直しは、都度、余分な時間、さらなるコストがかかり、そして遅延を生じさせることがある。
【実施例】
【００３９】
図１にみられるように、一例では、蓋体３２および開口部閉塞要素１１は矩形であり、前述のハウジング１６もまた、矩形の形状である。ハウジング１６は、１つの長辺にそって２つの雌型ガイド凹部１５Ａ、１５Ｂを有し、１つの短辺に１つの雌型ガイド凹部１５Ｃを有する。蓋体３２は、３つの雄型ガイド取付要素１３Ａ、１３Ｂ、１３Ｃ、つまり、１つの長辺に沿って２つの雄型ガイド取付要素１３Ａ、１３Ｂ、１つの短辺に沿って１つの雄型ガイド取付要素１３Ｃを有する。蓋体をハウジング１６の開放上面に嵌合させると、雄型ガイド取付要素１３Ａは、雌型ガイド凹部１５Ａに嵌合し、雄型ガイド取付要素１３Ｂは、雌型ガイド凹部１５Ｂに嵌合し、雄型ガイド取付要素１３Ｃは、雌型ガイド凹部１５Ｃに嵌合する。蓋体３２は、２つのガイドスリット４５Ａ、４５Ｂを有し、開口部閉塞要素１１は、２つのボルト４６Ａ、４６Ｂを有し、各ボルト４６Ａ、４６Ｂは、各ガイドスリットに対し１つのボルト４６Ａ、４６Ｂがあるように、ガイドスリット４５Ａ、４５Ｂに挿入される。前述のガイドスリット４５Ａ、４５Ｂの方向および長さが、前述の開口部閉塞要素１１の移動の方向および距離Ｘ１を決定する。スリットの長さは、ガイドスリット４５Ａ、４５Ｂに挿入されるボルト４６Ａ、４６Ｂによって方向付けされる開口部閉塞要素１１が、一端位置から他端位置に移動すると、それが開放状態から閉塞状態へと、または閉塞状態から開放状態へと、Ｘ１ｍｍの距離を移動するような長さである。
【符号の説明】
【００４０】
１０  実験用流体容器冷却装置
１１  開口部閉塞要素
１２  係合要素
１３Ａ  雄型ガイド取付要素
１３Ｂ  雄型ガイド取付要素
１３Ｃ  雄型ガイド取付要素
１４  開口部
１５Ａ  雌型ガイド凹部
１５Ｂ  雌型ガイド凹部
１５Ｃ  雌型ガイド凹部
１６  ハウジング
２１  格納手段
２２  格納手段
２３  格納手段
２４  格納手段
２５Ａ  ハンドル要素
２５Ｂ  ハンドル要素
２６  ハンドル要素
３０  蓋体３２および開口部閉塞要素１１を備える冷却器閉塞装置
３２  蓋体
４４  開口部
４５Ａ  ガイドスリット
４５Ｂ  ガイドスリット
４６Ａ  ボルト
４６Ｂ  ボルト
５１  格納手段空間
５２  間隔スリーブ
５３  締結手段、ねじ、ボルトなど
５４  板体
５５  板体
Ｘ１  開口部閉塞要素と蓋体との間の直線移動距離
Ｘ  ガイドスリット４５Ａ、４５Ｂの長さ
ｄ  雄型ガイド取付要素の深さ
ｗ  雄型ガイド取付要素の幅
【図１】
2021509462.tif 000003
【図２】
2021509462.tif 000004
【図３Ａ】
2021509462.tif 000005
【図３Ｂ】
2021509462.tif 000006
【図４Ａ】
2021509462.tif 000007
【図４Ｂ】
2021509462.tif 000008
【図５】
2021509462.tif 000009
【国際調査報告】
2021509462.tif 000010
2021509462.tif 000011